(57)【要約】【課題】  簡単な操作をするだけで、再生中のデータ群の最も以前に記録されたデータから再生を開始させる。【解決手段】  装置は、ＨＤＤに記録された番組ファイルを再生してディスプレイに表示中に（Ｓ１）、ユーザが再生キーをワンタッチ操作したことを検出すると（Ｓ５）、該番組ファイルの最初のデータから再生を開始する旨のメッセージをディスプレイに表示する（Ｓ７）。その後、装置は、読出ヘッドを該番組ファイルの最初のデータ（最古に記録されたデータ）の位置にまで一挙に移動（スキップ）させて、移動完了後に、移動先のデータから読出・再生を開始する。【選択図】        図２
2005158155.tif 000002
【特許請求の範囲】
【請求項１】
ディスク状の記録媒体から映像を含むデータを再生する機能を少なくとも有するデータ記録再生装置であって、
外部から操作される複数のキーを有して、前記キーの操作に応じた指示を入力する操作手段と、
前記記録媒体に時系列に記録されたデータ群から再生のためにデータを読出す読出手段と、
前記読出手段によりデータが読出されている場合に、前記操作手段が前記複数キーのうちの所定キーが操作されたことによる所定指示を入力したことに応答して、前記読出手段を前記データ群中の最も以前に記録されたデータから読出を開始するように制御する読出制御手段と、
前記読出手段によりデータが読出されている場合に、前記所定指示を入力したとき、前記データ群の最も以前に記録されたデータから読出しを開始する旨を報知する手段と、
与えられるデータを前記記録媒体に書込む書込手段と、
放送信号を受信する受信手段と、
前記受信手段により受信された前記放送信号から所望の番組放送の信号に基づくデータを抽出して前記書込手段に出力するデータ抽出手段とを備え、
前記読出制御手段は、
前記書込手段により前記データ群のためのデータが書込まれている間、前記読出手段により前記データ群からデータを読出すよう制御し、
前記データ群は、前記記録媒体の所定領域に前記書込手段により書込まれ、
前記所定領域は前記データ群を記録し保存するための記録領域または前記データ群を一時格納するための一時格納領域のいずれかであり、
前記読出制御手段は、
前記所定領域が前記記録領域であるとき、データが前記書込手段により前記記録領域に記録される間、前記読出手段により前記記録領域からデータを読出すよう制御し、前記一時格納領域であるとき、データが前記書込手段により前記一時格納領域に格納される間、前記読出手段により前記一時格納領域からデータを読出すよう制御し、
前記記録媒体は前記一時格納領域とデータを記録し保存するための記録領域を有するとき、前記記録領域にデータが書込まれるときを除いては、前記書込手段により前記一時格納領域にデータが書込まれる、データ記録再生装置。
【請求項２】
ディスク状の記録媒体から映像を含むデータを再生する機能を少なくとも有するデータ処理装置であって、
外部から操作される複数のキーを有して、前記キーの操作に応じた指示を入力する操作手段と、
前記記録媒体に時系列に記録されたデータ群から再生のためにデータを読出す読出手段と、
前記読出手段によりデータが読出されている場合に、前記操作手段が前記複数キーのうちの所定キーが操作されたことによる所定指示を入力したことに応答して、前記読出手段を前記データ群中の最も以前に記録されたデータから読出を開始するように制御する読出制御手段とを備える、データ処理装置。
【請求項３】
与えられるデータを前記記録媒体に書込む書込手段をさらに備え、
前記読出制御手段は、
前記書込手段により前記データ群のためのデータが書込まれている間、前記読出手段により前記データ群からデータを読出すよう制御する、請求項２に記載のデータ処理装置。
【請求項４】
前記データ群は、前記記録媒体の所定領域に前記書込手段により書込まれる、請求項３に記載のデータ処理装置。
【請求項５】
前記所定領域は前記データ群を記録し保存するための記録領域であり、
前記読出制御手段は、
データが前記書込手段により前記記録領域に記録される間、前記読出手段により前記記録領域からデータを読出すよう制御する手段を有する、請求項４に記載のデータ処理装置。
【請求項６】
前記所定領域は前記データ群を一時格納するための一時格納領域であり、
前記読出制御手段は、
データが前記書込手段により前記一時格納領域に格納される間、前記読出手段により前記一時格納領域からデータを読出すよう制御するタイムシフト手段を有する、請求項４に記載のデータ処理装置。
【請求項７】
前記記録媒体は前記一時格納領域とデータを記録し保存するための記録領域を有し、
前記記録領域にデータが書込まれるときを除いては、前記書込手段により前記一時格納領域にデータが書込まれる、請求項６に記載のデータ処理装置。
【請求項８】
前記読出手段によりデータが読出されている場合に、前記所定指示を入力したとき、前記データ群の最も以前に記録されたデータから読出しを開始する旨を報知する手段をさらに備える、請求項２から７のいずれか１項に記載のデータ処理装置。
【請求項９】
放送信号を受信する受信手段と、
前記受信手段により受信された前記放送信号から所望の番組放送の信号に基づくデータを抽出して前記書込手段に出力するデータ抽出手段とをさらに備える、請求項３から８のいずれか１項に記載のデータ処理装置。
【発明の詳細な説明】
【技術分野】
【０００１】
この発明はデータ記録再生装置およびデータ処理装置に関し、特に、ディスク状の記録媒体についてデータを再生する機能を少なくとも有するデータ記録再生装置およびデータ処理装置に関する。
【背景技術】
【０００２】
ＨＤＤ(hard disk drive)などを用いたディスク記録再生装置において、所望の記録位置から情報の再生を行なうためにスキップアップキー／スキップダウンキーを押し続けると、選択されたトラックに係る情報を表示部に表示しつつトラックの番号の早送りまたは早戻しを高速に行なう装置が提案されている（特許文献１を参照）。
【０００３】
また、いわゆる追っかけ再生に係るタイムシフト記録再生時において再生開始位置の指定を不要にするとともに再生開始までの待ち時間を減らし、安定なタイムシフト記録再生を可能とする装置が提案されている（特許文献２を参照）。
【特許文献１】特開２００３−１０００６８号公報
【特許文献２】特開２０００−１１３５００号公報
【発明の開示】
【発明が解決しようとする課題】
【０００４】
上述した前者の従来の技術ではスキップアップキーまたはスキップダウンキーが押し続けられている期間に、再生位置がトラックの方向に従い前方（早送り）または後方（早戻し）に順次に移動し続ける構成である。したがって記録領域の先頭位置（または記録開始位置）まで再生位置を移動させるにはスキップアップキーまたはスキップダウンキーを押し続けなければならず、操作性に優れない。
【０００５】
また、上述した後者の従来の技術ではタイムシフト領域で記録開始されるときは記録のためのヘッドが記録開始位置にまで移動するとともに、再生のためのヘッドがその近傍にまで移動する。記録ヘッドは記録開始位置にまで移動すると記録動作を開始するが、再生ヘッドは移動を終了すると待機して、その後再生指示（追っかけ再生のボタン操作による指示）が入力されると、その位置から再生動作を開始する。
【０００６】
したがって、再生ヘッドはタイムシフト記録開始時の記録ボタンが操作されたことに応じて記録開始位置の近傍に移動し、その後に追っかけ再生ボタンが操作されると予め移動した先の記録開始位置の近傍から再生を開始するというように、記録開始位置からの追っかけ再生をするためにはユーザは少なくとも２回のボタン操作をする必要があった。
【０００７】
それゆえにこの発明の目的は、簡単な操作で再生対象データ群の最も以前に記録されたデータから再生を開始することのできるデータ記録再生装置およびデータ処理装置を提供することである。
【課題を解決するための手段】
【０００８】
この発明のある局面に従うディスク状の記録媒体から映像を含むデータを再生する機能を少なくとも有するデータ記録再生装置は、
外部から操作される複数のキーを有して、キーの操作に応じた指示を入力する操作手段と、
記録媒体に時系列に記録されたデータ群から再生のためにデータを読出す読出手段と、
読出手段によりデータが読出されている場合に、操作手段が複数キーのうちの所定キーが操作されたことによる所定指示を入力したことに応答して、読出手段をデータ群中の最も以前に記録されたデータから読出を開始するように制御する読出制御手段と、
読出手段によりデータが読出されている場合に、所定指示を入力したとき、データ群の最も以前に記録されたデータから読出しを開始する旨を報知する手段と、
与えられるデータを記録媒体に書込む書込手段と、
放送信号を受信する受信手段と、
受信手段により受信された放送信号から所望の番組放送の信号に基づくデータを抽出して書込手段に出力するデータ抽出手段とを備え、
読出制御手段は、
書込手段により前記データ群のためのデータが書込まれている間、読出手段によりデータ群からデータを読出すよう制御し、
データ群は、記録媒体の所定領域に書込手段により書込まれ、
所定領域はデータ群を記録し保存するための記録領域またはデータ群を一時格納するための一時格納領域のいずれかであり、
読出制御手段は、
所定領域が記録領域であるとき、データが書込手段により記録領域に記録される間、読出手段により記録領域からデータを読出すよう制御し、一時格納領域であるとき、データが書込手段により一時格納領域に格納される間、読出手段により一時格納領域からデータを読出すよう制御し、
記録媒体は一時格納領域とデータを記録し保存するための記録領域を有するとき、記録領域にデータが書込まれるときを除いては、書込手段により一時格納領域にデータが書込まれる。
【０００９】
この発明の他の局面に従うデータ処理装置は、ディスク状の記録媒体から映像を含むデータを再生する機能を少なくとも有するデータ処理装置であって、
外部から操作される複数のキーを有して、キーの操作に応じた指示を入力する操作手段と、
記録媒体に時系列に記録されたデータ群から再生のためにデータを読出す読出手段と、
読出手段によりデータが読出されている場合に、操作手段が複数キーのうちの所定キーが操作されたことによる所定指示を入力したことに応答して、読出手段をデータ群中の最も以前に記録されたデータから読出を開始するように制御する読出制御手段とを備える。
【００１０】
したがって、記録媒体のデータ群から読出手段によりデータが読出されて再生中の場合でも、操作手段の所定キーが操作されると、応じて読出制御手段は読出手段を再生対象のデータ群中の最も以前に記録されたデータから読出しを開始するように切替える。
【００１１】
それゆえに、ユーザは所定キーを操作するだけで、再生中のデータ群の時系列における最初（先頭）のデータから再生を速やかに開始させることができる。
【００１２】
好ましくは、与えられるデータを記録媒体に書込む書込手段をさらに備え、読出制御手段は、書込手段によりデータ群のためのデータが書込まれている間、読出手段によりデータ群からデータを読出すよう制御する。
【００１３】
したがって、データ群にデータを書込みながら再生している状況において、上述のように所定キーを操作するだけで、再生中のデータ群の最初（先頭）のデータから再生を開始させることができる。
【００１４】
好ましくは、データ群は、記録媒体の所定領域に書込手段により書込まれる。したがって、再生対象のデータ群を記録媒体の所定領域に記録されたデータとすることができる。
【００１５】
好ましくは、所定領域はデータ群を記録し保存するための記録領域であり、読出制御手段は、データが書込手段により記録領域に記録される間、読出手段により記録領域からデータを読出すよう制御する手段を有する。
【００１６】
したがって、記録領域に保存用のデータを記録しながら、該記録領域からデータを再生している状況において、上述のように所定キーを操作するだけで、再生中の記録領域のデータ群の最初（先頭）のデータから再生を開始させることができる。
【００１７】
好ましくは、所定領域はデータ群を一時格納するための一時格納領域であり、読出制御手段は、データが書込手段により一時格納領域に格納される間、読出手段により一時格納領域からデータを読出すよう制御するタイムシフト手段を有する。
【００１８】
したがって、一時格納領域に格納されたデータ群についてタイムシフト手段により書込みと読出しが並行してなされる場合でも、上述のように所定キーを操作するだけで、書込みはそのまま続けながら一時格納領域のデータ群の最初（先頭）のデータから再生を開始させるように切替えることができる。
【００１９】
それゆえに、記録領域から、または一時格納領域からデータ群を再生して映像を表示中にその場を離れたとしても、戻ってきたときに所定キーを操作するだけで、速やかにデータ群の最初の（最も以前に記録された）データから再生して表示させることができる。
【００２０】
好ましくは、記録媒体は一時格納領域とデータを記録し保存するための記録領域を有し、記録領域にデータが書込まれるときを除いては、書込手段により一時格納領域にデータが書込まれる。
【００２１】
したがって、記録領域に保存用のデータの書込みがされる動作モード期間を除いては、一時格納領域へのデータ書込みがなされる。
【００２２】
好ましくは、装置は、読出手段によりデータが読出されている場合に、所定指示を入力したとき、データ群の最も以前に記録されたデータから読出しを開始する旨を報知する手段をさらに備える。
【００２３】
したがって、ユーザは報知された内容を確認することにより、所定キー操作が受け入れられて、データ群の最も以前に記録されたデータから読出しが開始されることを、確認できる。
【００２４】
好ましくは、装置は、放送信号を受信する受信手段と、受信手段により受信された放送信号から所望の番組放送の信号に基づくデータを抽出して書込手段に出力するデータ抽出手段とをさらに備える。
【００２５】
したがって、放送された番組のデータ群を対象にして再生がなされるときに、上述したような一連の特徴を得ることができる。
【００２６】
好ましくは、読出手段はデータ読出しのヘッドであって、所定指示を入力したことに応答して、読出制御手段は、該ヘッドを現在位置から、最も以前に記録されたデータの記録位置にまで移動（スキップ）させるようにしてもよい。
【発明の効果】
【００２７】
発明によれば、ユーザは所定キーを操作するだけで、再生中のデータ群の時系列における最初の（最も以前に記録された）データから再生開始させることができる。
【発明を実施するための最良の形態】
【００２８】
以下、この発明の実施の形態について図面を参照して説明する。ここでは説明を簡単にするために映像データを記録と再生の対象データとしているがこれ限定されず、音声データなどのその他のデータであってもよい。
【００２９】
図１にはこの発明の実施の形態に係る映像記録再生装置１００の構成が示される。図２には、本実施の形態に係る処理手順の一例が示される。図３はこの発明の実施の形態に係る記録領域における再生位置を説明するための概略図である。図４にはこの発明の実施の形態において表示されるメッセージの一例が示される。
【００３０】
図１において映像記録再生装置１００は、外部に、予め準備されたＴＶ（television）受像機などのディスプレイ２００を接続している。映像記録再生装置１００は、該装置の各部を集中的に制御・監視するための図示のないマイクロコンピュータなどからなるシステム制御回路１０、アンテナを介して放送信号を受信するチューナ１１、ハードディスク装置１２、ＭＰＥＧ（motion picture experts group）エンコーダ１４、ＭＰＥＧデコーダ１７、セレクタ１８、ＯＳＤ（on screen display）画像生成回路１９および操作装置２２を備える。
【００３１】
システム制御回路１０はメモリ１０Ａを有する。メモリ１０Ａは領域Ｅ１とＥ２を有し、領域Ｅ１には動作を制御するための制御フラグＦＬが格納されて、領域Ｅ２には再生へッドの位置を示すデータＰＯＤが格納される。
【００３２】
ハードディスク装置１２はハードディスク１２０、およびハードディスク１２０について情報をアクセスするための書込ヘッド１２Ｗならびに読出ヘッド１２Ｒとを有する。操作装置２２は映像記録再生装置１００の前面などに設けられてユーザが操作して指示を与えるための再生キー２２１および停止キー２２２を含む複数種類のキーを有する。ここでは操作装置２２は映像記録再生装置１００のパネル前面に設けられるとしたが、リモート操作のための別体のコントローラの操作面に設けらてもよい。
【００３３】
動作において、アンテナを介して受信した放送信号はチューナ１１に与えられる。チューナ１１はシステム制御回路１０から指示される所望チャネルの放送信号を受信信号から抽出して、抽出した信号の映像信号はＭＰＥＧエンコーダ１４に、他の情報Ｍ１はハードディスク装置１２とシステム制御回路１０にそれぞれ出力する。情報Ｍ１は番組表などの放送に関する情報を含む。このでユーザが所望するチャネルは、ユーザが操作装置２２をチャネル指定操作して、その指定情報がシステム制御回路１０に与えられることにより取得される。
【００３４】
ＭＰＥＧエンコーダ１４は入力した映像信号をデータ処理可能なようにエンコード処理して映像データＭ２としてシステム制御回路１０とハードディスク装置１２とに出力する。ハードディスク装置１２はシステム制御回路１０の制御の下に動作して与えられる映像データＭ２と情報Ｍ１をハードディスク１２０に書込ヘッド１２Ｗにより書込む。また、読出ヘッド１２Ｒによりハードディスク１２０から映像データなどを読出してシステム制御回路１０とＭＰＥＧデコーダ１７に読出データＲＭとして出力する。ハードディスク装置１２の動作モード（記録モード・再生モードなど）を制御するための指示はユーザが操作装置２２を操作して与えることが可能である。
【００３５】
ＭＰＥＧデコーダ１７には読出データＲＭとして映像データが与えられると想定する。ＭＰＥＧデコーダ１７は映像データを入力するとディスプレイ２００に表示可能な映像信号ＤＡにエンコード処理して出力する。ＯＳＤ画像生成回路１９はシステム制御回路１０から入力するデータに基づいて画像を生成して、画像信号ＤＣを出力する。システム制御回路１８は画像信号ＤＣおよび映像信号ＡＶを入力して、システム制御回路１０の制御のもとにいずれかを選択的に受取りディスプレイ２００に出力する。ディスプレイ２００は与えられる画像信号ＤＣまたは映像信号ＤＡに基づく画面を表示する。
【００３６】
本実施の形態では、映像記録再生装置１００は、タイマ録画などによりハードディスク１２０の記録領域においてファイル単位などの所定単位で番組データを保存するために記録する。また記録済みの番組ファイルのデータを再生する場合には次のように動作すると想定する。まず操作装置２２に設けられたナビゲーションキー（図示せず）を操作することにより記録済みの番組ファイルの一覧をハードディスク１２０から読出しディスプレイ２００にメニュー表示して、その表示されたメニューから所望の番組ファイルをユーザが操作装置２２の所定キーを操作して検索し、選択指定する。次に、ユーザが、操作装置２２の再生キー２２１を操作することことにより、その選択された番組ファイルのデータがハードディスク１２０から読出されてディスプレイ２００に表示される。
【００３７】
また、映像記録再生装置１００は電源がＯＮされるとタイムシフト状態に移行すると想定する。ここでタイムシフト状態とは、ハードディスク装置１２のディスク１２０における所定領域に対して、チューナ１１を介して受信されているテレビジョン放送による番組データを書込ヘッド１２Ｗで記録しながら読出ヘッド１２Ｒで再生が行われる状態をいう。タイムシフト状態のための所定領域は番組ファイルを記録するための領域とは別個に設けられたデータの一時格納領域であり、ここではタイムシフトバッファと称する。
【００３８】
図３を参照すると、記録領域ＡＲは本実施の形態ではタイムシフト状態を説明する場合にはタイムシフトバッファとして用いられ、タイマ録画などにおいて番組のデータを記録／再生する状態のときは、記録対象の番組ファイルの領域として用いられる。
【００３９】
図３では、アドレスＰＴ０は領域ＡＲに記録されたデータ群において最も以前に記録されたデータ（最古のデータ）の格納アドレスを示す。アドレスＰＴ１は領域ＡＲにおける再生ヘッド１２Ｒによる現在の再生位置を指示する再生位置ＲＰに対応のアドレスを示す。アドレスＰＴ２は、記録ヘッド１２Ｗにより現在、データを記録しつつある位置に対応のアドレスを示す。データの読出しは基本的には矢印３００で示す方向に沿って、より以前に記録されたデータからより最近に記録されたデータの順番、すなわち時系列順に従ってなされる。
【００４０】
ここでは説明を簡単にするために矢印３００の方向に従いデータが入力（受信）の順番に従い時系列に記録・読出されるとしているが、これに限定されない。つまり、データは領域ＡＲにおいてランダムに記録されながらもデータ間の時系列の関係は保持されるようにしてもよい。この場合には記録・読出の方向は矢印３００のように一方方向とはならないが、データ間の時系列に従う順番は保持されるから、データの読出しを、より以前に記録されたデータからより最近に記録されたデータの順に従って実行することができる。なお、この時系列順の情報はデータはハードディスク１２０の領域ＡＲとは異なる管理領域（図示せず）で保持されると想定する。
【００４１】
領域ＡＲがタイムシフトバッファであるとき、アドレスＰＴ２は、現在、受信してい映像のデータ（ライブデータ）を記録ヘッド１２Ｗで記録しながら読出ヘッド１２Ｒで読出しをしている位置（以下、ライブポイントＬＰという）を示す。したがって、この場合にはライブポイントＬＰに書込ヘッド１２Ｗが位置し、その近傍に読出ヘッド１２Ｒが位置している。この状態をライブ状態という。また、記録ヘッド１２ＷはアドレスＰＴ２において、現在、受信してい映像のデータ（ライブデータ）を記録しながら読出ヘッド１２ＲはライブポイントＬＰの近傍ではない再生位置ＲＰで読出し（再生）をしている状態も採りうる。これは、追っかけ再生状態という。
【００４２】
なお、タイムシフトバッファは、いわゆるリングバッファとして利用されるから、タイムシフトバッファのアドレスＰＴ０〜ＰＴ２にデータが書込まれている場合には、ライブポイントＬＰのアドレスＰＴ２とアドレスＰＴ０とは隣接した位置関係にある。
【００４３】
本実施の形態では、システム制御回路１０によりディスプレイ２００に表示される映像は、追っかけ再生状態またはライブ状態においてタイムシフトバッファから読出されたデータの映像か、またはタイマ録画などにより記録された番組ファイルから読出されたデータの映像であると想定する。
【００４４】
ここで図２を参照しながら本実施の形態に係る動作について説明する。まず、映像記録再生装置１００の電源がＯＮされるとき読出ヘッド１２ＲはタイムシフトバッファのアドレスＰＴ０に位置しているとする。また、制御フラグＦＬはリセットされており、またデータＰＯＤは所定の初期値が設定されていると想定する。
【００４５】
電源ＯＮされると、まずタイムシフト状態となるのでタイムシフトバッファはデータが書込まれた状態となる。ディスプレイ２００には映像が表示されている（ステップＳ（以下、単にＳと略す）１）。このとき、システム制御回路１０は操作装置２２において何らかのキー操作がなされるか否かを判別（検出）する（Ｓ３）。判別結果、キー操作がされなければ映像表示を続行するが、何らかのキー操作がなされたならば、それは再生キー２２１の操作であるか否かを判別する（Ｓ５）。
【００４６】
再生キー２２１の操作でないと判別すると（Ｓ５でＮＯ）、後述のＳ１３の処理に移行する。再生キー２２１が操作されたと判別すると（Ｓ５でＹＥＳ）、システム制御回路１０はＯＳＤ画像生成回路１９に対して所定メッセージのデータを与えて画像データの作成を指示するとともに、セレクタ１８に対して入力側をＯＳＤ画像生成回路１９側に切換えるよう制御する。ＯＳＤ画像生成回路１９は指示されたメッセージの画像データＤＣを作成して出力する。出力されたメッセージの画像データＤＣはセレクタ１８を介してディスプレイ２０に表示される（Ｓ７）。
【００４７】
このときの画面表示例が図４に示される。図４の画像データＤＣによるメッセージ２０１が表示されることにより、ユーザに対して、現在の映像表示を中断して、該映像に対応のデータ群（タイムシフトバッファに記録されたデータ群または再生中の番組ファイル中のデータ群）のうちから最も以前に記録されたデータによる映像から再生をスタートするように切替える旨が報知される。
【００４８】
メッセージ２０１を表示後、システム制御回路１０は、ハードディスク装置１２に対して再生位置ＲＰまたはライブポイントＬＰ近傍に位置する再生ヘッド１２ＲをアドレスＰＴ０の位置にまでスキップして一挙に移動するように指示する。これにより再生ヘッド１２Ｒは図３の領域ＡＲにおいて現在の位置からアドレスＰＴ０にまで一挙に移動させられて、ここからデータの読出しを矢印３００方向に向かい開始する（Ｓ９）。このとき、システム制御回路１０は移動する前の読出ヘッド１２Ｒが位置していたアドレスを検出してメモリ１０ＡのデータＰＯＤに上書きして退避（格納）させておく。
【００４９】
再生ヘッド１２Ｒの移動は概略、次のようになされる。つまり、ハードディスク装置１２において再生ヘッド１２Ｒの駆動に関連して設けられた図示のない機構（アクチュエータなど）がシステム制御回路１０の指示により制御されることにより、再生ヘッド１２Ｒが取付けられているアームが調整されて、その結果、読出ヘッド１２Ｒはディスク１２０上を移動する。読出ヘッド1１２Ｒは最も以前に記録されたデータの位置、すなわちアドレスＰＴ０にまで移動を完了するとアドレスＰＴ０から図３の矢印３００方向に向かい記録されているデータの読出しを開始する。なお、各番組ファイルのアドレスＰＴ０は予めハードディスク１２０に記録されており、読出したアドレスＰＴ０によって読出ヘッド１２Ｒの移動先を決定する。
【００５０】
読出ヘッド１２Ｒが移動完了すると、システム制御回路１０は読出ヘッド１２ＲをアドレスＰＴ０に一挙に移動したことを指示するための制御フラグＦＬをセットする（Ｓ１０）。該制御フラグＦＬはメモリ１０Ａに格納されている。
【００５１】
ヘッドの移動完了は、ハードディスク装置１２からシステム制御回路１０に通知されるので、システム制御回路１０はセレクタ１８の入力側をＭＰＥＣデコーダ１７側に切換える。これによりハードディスク装置１２のディスク１２０の領域ＡＲから読出されたデータＲＭはＭＰＥＧデコーダ１７によりデコードされ映像信号ＤＡＶとして、セレクタ１８を介してディスプレイ２００に与えられる。これにより、ディスプレイ２００に再生映像が表示される（Ｓ１１）。その後は、システム制御回路１０はＳ１の処理に戻り、以降の処理を同様に繰返す。
【００５２】
ここで表示している映像がライブ状態の再生映像であるときは、Ｓ９では、領域ＡＲのライブポイントＬＰに記録ヘッド１２Ｗが位置しながら、再生ヘッド１２ＲのみがライブポイントＬＰの近傍からアドレスＰＴ０にまで一挙に移動して、そこからデータの再生が開始されることになる。また、追っかけ再生状態の再生映像であるときは、Ｓ９では、領域ＡＲのライブポイントＬＰに記録ヘッド１２Ｗが位置しながら、再生ヘッド１２Ｒのみが再生位置ＲＰからアドレスＰＴ０にまで一挙に移動して、そこからデータの再生が開始されることになる。
【００５３】
一方、表示される映像がタイマ録画などにより予め記録されている番組ファイルの再生映像であった場合には、領域ＡＲは該番組ファイルの記録領域に対応するので、Ｓ９では、再生ヘッド１２Ｒは再生位置ＲＰから該番組ファイルの最初に記録されたデータの位置、すなわち領域ＡＲのアドレスＰＴ０にまで一挙に移動する。なお、このとき該番組ファイルのタイマ録画モードである場合には、Ｓ９では、記録ヘッド１２ＷはアドレスＰＴ２に位置して記録をし続けながら、再生ヘッド１２Ｒのみが現在の位置からアドレスＰＴ０にまで移動することになる。
【００５４】
一方、映像を表示中に操作されたキーは再生キー２２１でないと判別されたときは（Ｓ５でＮＯ）、操作されたキーは停止キー２２２であるか判別される（Ｓ１３）。停止キー２２２が操作された場合には（Ｓ１３でＹＥＳ）、制御フラグＦＬがセットされているか否か判別される（Ｓ１５）。セットされていれば（Ｓ１５でＹＥＳ）、読出ヘッド１２Ｒは読出しを一時停止して、データＰＯＤで示すアドレスにまで、すなわち前回Ｓ９の処理で移動する前に位置していたアドレスにまで移動させられて（Ｓ１７）、そこから読出しを開始して再生映像が表示される（Ｓ１９）。その後は、システム制御回路１０はＳ１の処理に戻り、以降の処理を同様に繰返す。
【００５５】
停止キー２２２でなく（Ｓ１３でＮＯ）または制御フラグＦＬがセットされてなければ（Ｓ１５でＮＯ）、操作されたキーに対応の他の処理に移行する。
【００５６】
ここでは、Ｓ７〜Ｓ１１の処理を経て、その後のＳ５において停止キー２２２が操作されたと判別された場合には、再生ヘッド１２ＲはデータＰＯＤで示す元の再生位置にまで移動するとしているが、そのときの記録ヘッド１２Ｗが位置するライブポイントＬＰの近傍にまで一挙に移動してそこからデータの読出を開始するようにしてもよい。
【００５７】
ここでは、Ｓ９で再生ヘッド１２ＲをアドレスＰＴ０にまで一挙に移動させるためのキーを再生キー２２１としたが、これに限定されない。すなわちタイムシフト状態、録画された番組ファイルの再生状態および番組の録画状態において、そのキー操作が本来無効とされているような種類のキーであればよく、再生キー２２１に限定されるものではない。同様に、元の再生位置に読出ヘッド１２Ｒを戻すための操作キーも停止キー２２２に限定されるものではなく、たとえば、停止キー２２２に代替して再生キー２２１であってもよい。
【００５８】
Ｓ５とＳ１３で操作されるキーをたとえば再生キー２２１のように同じ種類のキーとした場合には、キー操作の態様に応じて指示を判別するようにしてもよい。言換えると、Ｓ５で再生キー２２１が長押しされると読出ヘッド１２ＲをアドレスＰＴ０にまで移動させ、Ｓ１３で再生キー２２１が普通押しされた場合には（長押し操作でない場合には）Ｓ１５の処理を実行するようにして、読出ヘッド１２Ｒを元の再生の位置に戻すようにしてもよい。
【００５９】
このように映像記録再生装置１００では常時タイムシフト状態にありタイムシフトバッファに常に映像データが蓄えられつつあるから、ディスプレイ２００でライブ状態の放送番組を見ていたユーザが該番組の録画を思いたち急に録画要求をしたとしても、それまでにタイムシフトバッファに記録されていた内容を番組ファイルのデータとしてそのまま用いることができる。このような要求に応えるなどの背景のもとに、タイムシフトバッファはたとえば１８０分ほどの放送時間のデータを記録できる比較的大きな容量を有している。
【００６０】
本実施の形態では、タイムシフトバッファや番組ファイルの領域ＡＲの大きさ（容量）にかかわらず、上述したように、ユーザは再生キー２２１のみを単一操作（ワンタッチ操作）するだけで再生ヘッド１２Ｒを現在位置からアドレスＰＴ０にまで一挙に移動（スキップ）させることができるので、操作性に優れる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】この発明の実施の形態に係る映像記録再生装置の構成図である。
【図２】この発明の実施の形態に係る処理フローチャートである。
【図３】この発明の実施の形態に係る記録領域における再生位置を説明する図である。
【図４】この発明の実施の形態に係るメッセージの表示例を示す図である。
【符号の説明】
【００６３】
１０  システム制御回路、１１  チューナ、１２  ハードディスク装置、２００  ディスプレイ、１００  映像記録再生装置、１２０  ハードディスク、２０１  メッセージ、２２１  再生キー、２２２  停止キー、１２Ｒ  再生ヘッド、１２Ｗ  記録ヘッド。
【図１】
2005158155.tif 000003
【図２】
2005158155.tif 000004
【図３】
2005158155.tif 000005
【図４】
2005158155.tif 000006